(57)【要約】【課題】周囲の輝度環境に応じた表示を行うことができる表示器を提供する。【解決手段】第１の文字板１１には、表示キャラクタを形取った遮光部１１ａが形成されている。第１の光源１３は、第１の文字板１１の背面から光ＬＬ１を入射する。第１の文字板１１の正面側に配置された第２の文字板１５には、表示キャラクタを形取った反射部１５ａが形成されている。第２の光源１６は、反射部１５に光ＬＬ２を入射する。【選択図】      図１
2004191311.tif 000002
【特許請求の範囲】
【請求項１】
表示キャラクタを形取った遮光部が形成されている第１の導光板と、
該第１の導光板の背面から光を入射する第１の光源と、
前記表示キャラクタを形取り、入射してくる光を前記正面側に反射する反射部が形成され、かつ、前記第１の導光板の正面側に配置された第２の導光板と、
前記反射部に光を入射する第２の光源と
を備えたことを特徴とする表示器。
【請求項２】
請求項１記載の表示器であって、
前記第１及び前記第２の光源の何れか一方のみを点灯させる点灯制御手段と
を備えたことを特徴とする表示器。
【請求項３】
請求項１又は２記載の表示器であって、
前記反射部には、明色系印刷が施されている
ことを特徴とする表示器。
【請求項４】
請求項１又は２記載の表示器であって、
前記反射部には、プリズムが鋸歯状に並んだ形のプリズムアレイが形成されている
ことを特徴とする表示器。
【請求項５】
請求項１〜４何れか１項記載の表示器であって、
前記第１及び第２の導光板は、当該遮光部と当該反射部とが、前記正面側から見て重なるように配置されている
ことを特徴とする表示器。
【請求項６】
請求項１〜５何れか１項記載の表示器であって、
前記第２の光源は、前記第２の導光板の外側面に対向する位置に配されている
ことを特徴とする表示器。
【請求項７】
請求項１〜５何れか１項記載の表示器であって、
前記第１の導光板は、当該背面から当該正面に向かう貫通孔が形成され、
前記第２の導光板は、当該背面側に凸部が形成されていると共に、当該凸部が、前記貫通孔に挿入された状態で、前記第１の導光板の正面に配置され、
前記第２の光源は、前記凸部に対向する位置に配されている
ことを特徴とする表示器。
【請求項８】
請求項７記載の表示器であって、
前記第２の導光板の正面側に配置される指針をさらに備え、
前記貫通孔に、前記指針の指針軸も挿入されている
ことを特徴とする表示器。
【請求項９】
請求項４記載の表示器であって、
前記プリズムアレイは、前記プリズムの並んでいる方向と、前記第２の導光板に対する前記第２光源からの光の照射方向とが直交するように形成されている
ことを特徴とする表示器。
【発明の詳細な説明】
【０００１】
【発明の属する技術分野】
この発明は、表示器に係わり、例えば、車両などに搭載される表示器に関する。
【０００２】
【従来の技術】
車両に搭載される表示器として、車両速度及びエンジン回転数等の計測値を指示する指示装置がある。この指示装置は、白地に、目盛、数字、文字又は記号等の表示キャラクタが黒色印刷された文字板と、この文字板の前面に配置される指針と、計測量に応じて指針を駆動する内機と、回路パターンが設けられ、内機が固定される基板とを有して構成している。
【０００３】
そして、昼間は外光により指針や文字板を照らして、運転者に上記表示キャラクタを視認させ、夜間においては、文字板の正面側に位置された光源によって文字板を照らして、運転者に表示キャラクタを視認させている。
【０００４】
また、近年では、指示装置のブラックフェース化がデザイン設計上の見地からなされるようになってきた。このブラックフェース化された指示装置は、以下のような構成となっている。まず、文字板は、導光板表面の上記表示キャラクタを除いた部分に、例えば、暗色系の印刷を施して構成されている。さらに、文字板の前面に暗色系の着色処理（スモーク処理）を施した保護カバーを配置したものである。
【０００５】
以上の構成によれば、指示装置は、非動作時には保護カバーにより文字板が視認できないようになり一方、表示器の作動時には表示キャラクタが発光して暗い部分から浮き出して見えるようになる。
【０００６】
【発明が解決しようとする課題】
ところで、車両など昼と夜とで周囲の輝度環境が異なる場所で使用される表示装置において、周囲の輝度環境に応じた表示をすることで、視認者の目の負担を軽減させることが望まれている。周囲の輝度環境に応じた表示とは、例えば、昼などの周囲輝度が高いときは、白などの明色地に黒などの暗色の表示キャラクタを視認させるようにして、表示装置の表示を明るくする一方、夜などの周囲輝度が低いときは、暗色地に明色の表示キャラクタを視認させるようにして、表示装置の表示を暗くすることである。しかしながら、上述した従来の表示装置は、昼も夜も見え方が同じであった。
【０００７】
そこで、本発明は、上記のような問題点に着目し、周囲の輝度環境に応じた表示を行うことができる表示器を提供することを課題とする。
【０００８】
【課題を解決するための手段】
上記課題を解決するためになされた請求項１記載の発明は、表示キャラクタを形取った遮光部が形成されている第１の導光板と、該第１の導光板の背面から光を入射する第１の光源と、前記表示キャラクタを形取り、入射してくる光を前記正面側に反射する反射部が形成され、かつ、前記第１の導光板の正面側に配置された第２の導光板と、前記反射部に光を入射する第２の光源とを備えたことを特徴とする表示器に存する。
【０００９】
請求項１記載の発明によれば、第１の導光板には、表示キャラクタを形取った遮光部が形成されている。第１の光源は、第１の導光板の背面から光を入射する。第１の導光板の正面側に配置された第２の導光板には、表示キャラクタを形取った反射部が形成されている。第２の光源は、反射部に光を入射する。
【００１０】
従って、周囲の輝度環境が明るいときに、第１の光源を点灯させ、第２の光源を消灯させれば、第１の光源からの光が、第１の導光板の遮光部以外を透過して、正面側に出射されるため、正面からは明色地に暗色の表示キャラクタが視認される。一方、周囲の輝度環境が暗いときに、第２の光源を点灯させ、第１の光源を消灯させれば、第２の光源からの光が、第２の導光板の反射部で反射して、正面側に出射されるため、正面からは暗色地に明色の表示キャラクタが視認される。
【００１１】
請求項２記載の発明は、請求項１記載の表示器であって、前記第１及び前記第２の光源の何れか一方のみを点灯させる点灯制御手段とを備えたことを特徴とする表示器に存する。
【００１２】
請求項２記載の発明によれば、点灯制御手段が、第１及び第２の光源の何れか一方のみを点灯させる。従って、周囲の輝度環境が明るいときは第１の光源のみを、暗いときは第２の光源のみを点灯させれば、周囲の輝度環境が明るいときは、明色地に暗色の表示キャラクタが視認され、周囲の輝度環境が暗いときは、暗色地に明色の表示キャラクタが視認される。
【００１３】
請求項３記載の発明は、請求項１又は２記載の表示器であって、前記反射部には、明色系印刷が施されていることを特徴とする表示器に存する。
【００１４】
請求項３記載の発明によれば、第２の導光板の反射部には、明色系印刷が施されている。従って、印刷により簡単に、第２の導光板に反射部を形成することができる。
【００１５】
請求項４記載の発明は、請求項１又は２記載の表示器であって、前記反射部には、プリズムが鋸歯状に並んだ形のプリズムアレイが形成されていることを特徴とする表示器に存する。
【００１６】
請求項４記載の発明によれば、第２の導光板の反射部には、プリズムが鋸歯状に並んだ形のプリズムアレイが形成されている。従って、プリズムを形成するだけで、簡単に第２の導光板に反射部を形成することができる。
【００１７】
請求項５記載の発明は、請求項１〜４何れか１項記載の表示器であって、前記第１及び第２の導光板は、当該遮光部と当該反射部とが、前記正面側から見て重なるように配置されていることを特徴とする表示器に存する。
【００１８】
請求項５記載の発明によれば、第１の導光板に形成された遮光部と、第２の導光板に形成された反射部とは、正面側から見て重なるように配置されている。従って、第１の光源のみを点灯させたときと、第２の光源のみを点灯させたときとで、表示キャラクタの表示位置が変わることがない。
【００１９】
請求項６記載の発明は、請求項１〜５何れか１項記載の表示器であって、前記第２の光源は、前記第２の導光板の外側面に対向する位置に配されていることを特徴とする表示器に存する。
【００２０】
請求項６記載の発明によれば、第２の光源が、第２の導光板の外側面から光を入射する。従って、第２の光源を、第２の導光板の外側面付近に配置するだけで、凸部などを設ける必要がなく、構成が簡単となる。
【００２１】
請求項７記載の発明は、請求項１〜５何れか１項記載の表示器であって、前記第１の導光板は、当該背面から当該正面に向かう第１の貫通孔が形成され、前記第２の導光板は、当該背面側に凸部が形成されていると共に、当該凸部が、前記第１の貫通孔に挿入された状態で、前記第１の導光板の正面に配置され、前記第２の光源は、前記凸部に対向する位置に配されていることを特徴とする表示器に存する。
【００２２】
請求項７記載の発明によれば、第１の導光板には、背面から正面に向かう第１の貫通孔が形成されている。第２の導光板には、背面側に凸部が形成されている。さらに、第２の導光板は、その凸部が第１の貫通孔に挿入された状態で、第１の導光板の正面側に配置されている。第２の光源が、凸部から光を入射する。以上の構成によれば、第１及び第２の光源の両者を第１の導光板の背面に配置することができる。このため、同一基板上に第１及び第２の光源を配置することができ、構成が簡単となる。
【００２３】
請求項８記載の発明は、請求項７記載の表示器であって、前記第２の導光板の正面側に配置される指針をさらに備え、前記貫通孔に、前記指針の指針軸も挿入されていることを特徴とする表示器に存する。
【００２４】
請求項８記載の発明によれば、貫通孔には、指針の指針軸も挿入されている。従って、第１の導光板に、指針軸を挿入するための貫通孔と、凸部を挿入するための貫通孔とを別々に設けなくても済み、構成が簡単となる。
【００２５】
請求項９記載の発明は、請求項４記載の表示器であって、前記プリズムアレイは、前記プリズムの並んでいる方向と、前記第２の導光板に対する前記第２光源からの光の照射方向とが直交するように形成されていることを特徴とする表示器に存する。
【００２６】
請求項９記載の発明によれば、プリズムアレイが、プリズムの並んでいる方向と、第２光源からの光の照射方向とが直交するように形成されている。従って、反射部での光の反射率を向上させることができる。
【００２７】
【発明の実施の形態】
第１実施形態
以下、本発明を、図面に基づいて説明する。図１は、本発明の表示器としての指示装置の断面図である。同図に示すように、指示装置は、計測値を指示するための指針１０と、第１の文字板１１とを備えている。この第１の文字板１１は、導光板から成り、指針１０が指示する計測値に対応した指標（＝表示キャラクタ）を形取った遮光部１１ａが形成されている。このことから第１の文字板１１は、請求項中の第１の導光板に相当することが明らかである。
【００２８】
上記遮光部１１ａは、例えば、黒などの光透過率の低い暗色系の印刷を施すことにより設けられる。また、第１の文字板１１の背面には、拡散板１２と、ＬＥＤなどの第１の光源１３が設けられた基板１４が配置されている。
【００２９】
一方、第１の文字板１１の正面側には、第２の文字板１５が配置されている。この第２の文字板１５は、導光板から成り、上述した指標と同様の指標を形取り、入射してくる光を正面側に反射する反射部１５ａが形成されている。このことから第２の文字板１５は、請求項中の第２の導光板に相当することが明らかである。上記反射部１５ａは、例えば、白などの光反射率の高い明色系の印刷を施すことにより設けられる。
【００３０】
上記第２の文字板１５の外側面と対向する位置には、第２の光源１６が配置されている。上記指示装置にはまた、図２の正面図に示すように、第２の文字板１５の下側の左右方向Ｙ１に対して平行な外側面に沿って、導光板１７が設けられている。この導光板１７により、第２の光源１６からの光ＬＬ２を、第２の文字板１５の左右方向Ｙ１と平行な外側面全体から、上下方向Ｙ２に対して平行に、第２の文字板１５内に入射させることができる。
【００３１】
指示装置にはまた、図１に示すように、基板１４の背面側に、指針軸１８を介して、指針１０を駆動するムーブメント１９が設けられている。指針軸１８は、基板１４、拡散板１２、第１の文字板１１、第２の文字板１５を貫通して、第２の文字板１５の正面側にある指針１０を駆動している。
【００３２】
また、指示装置は、例えば、ヘッドライトスイッチをオンしたときに第１の光源１３を点灯させると共に、第２の光源１６を消灯させ、一方、ヘッドライトスイッチをオフしたときに第２の光源１６を点灯させると共に、第１の光源１３を消灯させる点灯制御手段としての点灯制御回路（図示せず）が備えられている。この点灯制御回路により、第１及び第２の光源１３、１６の何れか一方のみを点灯させることができる。
【００３３】
上述した構成の指示装置の動作について以下説明する。まず、周囲の輝度環境が高く、運転者がヘッドライトスイッチをオフにすると、点灯制御回路が、第１の光源１３を点灯させると共に、第２の光源１６を消灯させる。これにより、第１の光源１３からの光ＬＬ１（図１参照）は、拡散板１２により拡散された後に、第１の文字板１１の背面に入射される。第１の文字板１１の背面に入射された光ＬＬ１は、遮光部１１ａ以外を透過し、さらに、第２の文字板１５を透過した後、正面側に出射される。このため、図３（ａ）に示すように、正面側からは指標以外の部分が発光している第１の文字板１１が視認される、つまり、明色地に暗色の指標が視認される。
【００３４】
一方、周囲の輝度環境が低く、運転者がヘッドライトスイッチをオンにすると、点灯制御回路が、第２の光源１６を点灯させると共に、第１の光源１３を消灯させる。これにより、第２の光源１６からの光ＬＬ２（図１参照）は、上述した導光板１７を介して、第２の文字板１５の下側外側面から内部に入射される。第２の文字板１５に入射された光ＬＬ２は、反射部１５ａで反射して、正面側に出射される。
【００３５】
このため、図３（ｂ）に示すように、正面からは指標部分が発光している第２の文字板１５が視認される、つまり、暗色地に明色の指標が視認される。従って、周囲の輝度環境に応じた表示を行うことができる。
【００３６】
また、上述した第１及び第２の文字板１１、１５は、その遮光部１１ａとその反射部１５ａとが、正面側から見て重なるように配置されている。このため、第１の光源１３のみを点灯させたときと、第２の光源１６のみを点灯させたときとで、指標の位置が変わることがない。
【００３７】
なお、上述した第１実施形態では、導光板１７を第２の文字板１５の左右方向Ｙ１と平行な外側面に対して設けていた。しかしながら、図４に示すように、第２の文字板１５の上下方向Ｙ２に対して平行な外側面に沿って、導光板１７を設けることも考えられる。この場合、第２の光源１６からの光ＬＬ２は、左右方向Ｙ１に対して平行に、第２の文字板１５に入射される。
【００３８】
また、上述した第１実施形態では、第２の文字板１５の外側面の一部に導光板１７を設けていたが、図５に示すように、外側面全体に導光板１７を設けることも考えられる。この場合、第２の光源１６からの光ＬＬ２を、円形状の第２の文字板１５の直径方向に対して平行に、第２の文字板１５内に入射させることができる。
【００３９】
第２実施形態
また、上述した第１実施形態では、第２の光源１６を第２の文字板１５の外側面に対向するように配していた。しかしながら、例えば、図６に示すように第２の光源１６を配することも考えられる。同図に示すように、第１の文字板１１、拡散板１２には、その略中心に、背面から正面に向かう貫通孔１１ｂ、１２ａが形成されている。
【００４０】
そして、第２の文字板１５は、その背面側に例えば２つの凸部１５ｂが形成されていると共に、上記貫通孔１１ｂ、１２ａに挿入された状態で、第１の文字板１１の正面に配置されている。さらに、貫通孔１１ｂ、１２ａには、第１実施形態と同様に、指針軸１８も挿入されている。そして、上記第２の光源１６は、基板１４上に、凸部１５ｂと対向して設けられている。なお、２０は、第２の光源１６からの光が第１の文字板１１の背面に入射したり、第１の光源１３からの光が第２の文字板１５内に入射することを防ぐための遮光壁である。
【００４１】
以上のような構成によれば、第１及び第２の光源１３、１６の両者を第１の文字板１１の背面に配置することができる。このため、同一の基板１４上に第１及び第２の光源１３、１６を配置することができ、構成が簡単となる。
【００４２】
また、第１の文字板１１に、指針軸１８を挿入するための貫通孔と、凸部１５ｂを挿入するための貫通孔とを別々に設けなくて済み、これによっても構成が簡単となる。
【００４３】
また、この場合、図７に示すように、第２の光源１６からの光ＬＬ２を、第２の文字板１５の直径方向に対して平行に、第２の文字板１５内に入射させることができる。
【００４４】
第３実施形態
また、上述した第１実施形態では、白色印刷により反射部１５ａを形成していた。しかしながら、例えば、図８に示すように、第２の文字板１５の背面にプリズムが鋸歯状に並んだようなプリズムアレイＰを設けて、反射部１５ａを形成することも考えられる。なお、図中下側に第２の光源１６が設けられているものとする。上記プリズムアレイＰは、頂点より第２の光源１６の反対側にある反射面Ｐ１と、頂点より第２の光源１６側にある傾斜面Ｐ２とを有して構成されている。
【００４５】
反射面Ｐ１は、第２の光源１６から入射された光ＬＬ２が反射面Ｐ１にて反射して、この反射した光が正面側に向かって出射される角度に設定している。また、傾斜面Ｐ２の傾斜角は、第２の光源１６から入射された光ＬＬ２と略平行になっており、この面を反射したり透過したりする光はほとんどない。
【００４６】
従って、第２の光源１６からの光は、プリズムアレイＰの反射面Ｐ１で反射され、正面側に向かう。これにより、正面側からは、反射部１５ａが光輝して視認される。
【００４７】
また、プリズムアレイＰは、その並んでいる方向と、第２の文字板１５に対する第２の光源１６からの光の照射方向とが直交するように形成されている。例えば、図２に示すように、第２の光源１６からの光ＬＬ２が、上下方向Ｙ１に対して平行に第２の文字板１５内に入射されるときは、図９（ａ）に示すように、左右方向Ｙ１と直交する上下方向Ｙ２にプリズムアレイＰが並べられている。
【００４８】
また、図４に示すように、第２の光源１６からの光ＬＬ２が、左右方向Ｙ２に対して平行に第２の文字板１５内に入射されるときは、図９（ｂ）に示すように、左右方向Ｙ２と直交する上下方向Ｙ１にプリズムアレイＰが並べられている。また、図５や、図７に示すように、第２の光源１６からの光ＬＬ２が、直径方向に対して平行に第２の文字板１５内に入射されるときは、図９（ｃ）に示すように、直径方向Ｙ３と直交する接線方向Ｙ４にプリズムアレイＰが並べられている。
【００４９】
以上のようにプリズムアレイＰを形成すれば、より反射部１５ａでの光の反射率を向上させることができ、視認性の向上を図ることができる。
【００５０】
【発明の効果】
以上説明したように、請求項１記載の発明によれば、周囲の輝度環境が明るいときに、第１の光源を点灯させ、第２の光源を消灯させれば、第１の光源からの光が、第１の導光板の遮光部以外を透過して、正面側に出射されるため、正面からは明色地に暗色の表示キャラクタが視認される。一方、周囲の輝度環境が暗いときに、第２の光源を点灯させ、第１の光源を消灯させれば、第２の光源からの光が、第２の導光板の反射部で反射して、正面側に出射されるため、正面からは暗色地に明色の表示キャラクタが視認されるので、周囲の輝度環境に応じた表示を行うことができる表示器を得ることができる。
【００５１】
請求項２記載の発明によれば、周囲の輝度環境が明るいときは第１の光源のみを、暗いときは第２の光源のみを点灯させれば、周囲の輝度環境が明るいときは、明色地に暗色の表示キャラクタが視認され、周囲の輝度環境が暗いときは、暗色地に明色の表示キャラクタが視認されるので、周囲の輝度環境に応じた表示を行うことができる表示器を得ることができる。
【００５２】
請求項３記載の発明によれば、印刷により簡単に、第２の導光板に反射部を形成することができる表示器を得ることができる。
【００５３】
請求項４記載の発明によれば、プリズムを形成するだけで、簡単に第２の導光板に反射部を形成することができる表示器を得ることができる。
【００５４】
請求項５記載の発明によれば、第１の光源のみを点灯させたときと、第２の光源のみを点灯させたときとで、表示キャラクタの表示位置が変わることがないので、違和感のない表示器を得ることができる。
【００５５】
請求項６記載の発明によれば、第２の光源を、第２の導光板の外側面付近に配置するだけで、凸部などを設ける必要がなく、構成が簡単となる表示器を得ることができる。
【００５６】
請求項７記載の発明によれば、第１及び第２の光源の両者を第１の導光板の背面に配置することができる。このため、同一基板上に第１及び第２の光源を配置することができ、構成が簡単となる表示器を得ることができる。
【００５７】
請求項８記載の発明によれば、第１の導光板に、指針軸を挿入するための貫通孔と、凸部を挿入するための貫通孔とを別々に設けなくても済み、構成が簡単となる表示器を得ることができる。
【００５８】
請求項９記載の発明によれば、反射部での光の反射率を向上させることができるので、視認性の向上を図った表示器を得ることができる。
【図面の簡単な説明】
【図１】第１実施形態における表示器としての指示装置の断面図である。
【図２】図１に示す指示装置の正面図である。
【図３】（ａ）は、第１の光源１３のみを点灯したとき正面から視認される指示装置を示す図であり、（ｂ）は、第２の光源１６のみを点灯したとき正面から視認される指示装置を示す図である。
【図４】他の実施形態における図１に示す指示装置の正面図である。
【図５】他の実施形態における図１に示す指示装置の正面図である。
【図６】第２実施形態における表示器としての指示装置の断面図である。
【図７】図６に示す指示装置の正面図である。
【図８】第３実施形態における反射部１５ａの断面図である。
【図９】プリズムアレイＰの並んでいる方向を説明するための図である。
【符号の説明】
１０      指針
１１      第１の文字板（第１の導光板）
１１ａ    遮光部
１１ｂ    貫通孔
１３      第１の光源
１５      第２の文字板（第２の導光板）
１５ａ    反射部
１５ｂ    凸部
１６      第２の光源
Ｐ        プリズムアレイ
【図１】
2004191311.tif 000003
【図２】
2004191311.tif 000004
【図３】
2004191311.tif 000005
【図４】
2004191311.tif 000006
【図５】
2004191311.tif 000007
【図６】
2004191311.tif 000008
【図７】
2004191311.tif 000009
【図８】
2004191311.tif 000010
【図９】
2004191311.tif 000011